(57)【要約】  本発明は、ユーザが、写真撮影される被写体とのアイコンタクトを維持しながら、写真撮影場所で三脚を開くことができるように構成された高速開放及び配置機構を有する新規の三脚を対象とし、該三脚は伸縮セグメントを有する脚部、及び中心柱上に配置された留められたばねに接続されたトリガを有するハンドルによって操作される中心ロック機構を含み、該トリガを押すと、該中心ロック機構がアンロックされて、該三脚の脚部のスペーシング、及び該脚部のそれぞれの近傍での地面の高さに従った該脚部の各脚部の該伸縮セグメントの地面に向かう自然落下を可能にし、該ハンドルの該中心柱に沿った下方への摺動時に、該セグメントが拡張された状態の該脚部が開放形式でロックされるようになる。【選択図】図１Ａ  図１Ｂ
2017500598.tif 000002
【特許請求の範囲】
【請求項１】
ユーザが、写真撮影される被写体とのアイコンタクトを維持しながら、写真撮影場所で三脚を開くことができるように構成された高速開放配置機構を有する前記三脚であって、前記三脚が伸縮セグメントと、中心柱に配置された留められたばねに接続されたトリガを有するハンドルによって操作される中心ロック機構とを有する脚部を備え、前記トリガを押すと、前記中心ロック機構がアンロックされて、前記三脚脚部のスペーシング及び前記脚部の各脚部の前記伸縮セグメントの、前記脚部のそれぞれの近傍での地面の高さに従った、前記地面に向かった自然落下を可能にし、前記ハンドルを前記中心柱に沿って下方に摺動すると、前記セグメントが拡張された状態の前記脚部が開放形式でロックされるようになる、三脚。
【請求項２】
ａ．前記脚部が、前記三脚の高さの、写真撮影される被写体に従った調整を可能にするために、前記三脚の開閉時に引き出される及び格納されるように構成された少なくとも２つの伸縮セグメントを備え、
ｂ．前記中心柱が、対応する接続アームを介して前記三脚脚部に接続され、各接続アームが、前記中心ロック及びアンロック機構の部分として開放形式及び閉鎖形式で前記三脚のロックを可能にするように構成され、
ｃ．前記中心ロック及びアンロック機構が、前記ユーザが前記三脚を以下の形式、つまり閉鎖した脚部及び完全に格納された伸縮セグメントでロックされた三脚、閉鎖した脚部及び部分的に格納された伸縮セグメントでロックされた三脚、部分的開かれた脚部及び部分的に引き出された伸縮セグメントでアンロックされた三脚、完全に開いた脚部及び部分的に引き出された伸縮脚部でロックされた三脚、及び完全に開いた脚部及び完全に引き出された伸縮脚部でロックされた三脚のいずれか１つに変形できるように構成される、
請求項１に記載の三脚。
【請求項３】
前記三脚の前記脚部の前記角度及び高さが前記中心柱に配置された前記ハンドルによって決定され、前記ハンドルの前記中心柱に沿った前記位置が機能上、前記三脚脚部及び前記中心ロック機構がロック状態にあるのか、それともアンロック状態にあるのかを判断する、請求項１に記載の三脚。
【請求項４】
ユーザが三脚を、閉じられ、折り畳まれた形式から開かれた引き出された形式に変形できる、及びその逆を行うことができ、さらに写真撮影場所で所望される高さ及び角度で前記三脚をロックできるようにする高速開閉機構を有する前記三脚であって、
ａ.写真撮影される被写体に従って前記三脚の高さの調整を可能にするために、前記三脚の開閉時に引き出される及び格納されるように構成された少なくとも２つの伸縮セグメントを有する脚部と、
ｂ．対応する接続アームを介して前記三脚の脚部のそれぞれに接続された中心柱であって、各接続アームが、中心ロック及びアンロック機構の部分として開放形式及び閉鎖形式で前記三脚のロックを可能にするように構成される、中心柱と、
ｃ．前記ユーザが前記三脚を以下の形式、つまり閉じられた脚部及び完全に格納された伸縮セグメントでロックされた三脚、閉じられた脚部及び部分的に格納された伸縮セグメントでロックされた三脚、部分的に開かれた脚部及び部分的に引き出された伸縮セグメントでアンロックされた三脚、完全に開かれた三脚及び部分的に引き出された伸縮脚部でロックされた三脚、及び完全に開かれた三脚及び完全に引き出された伸縮脚部でロックされた三脚のいずれか１つに変形できるように構成された中心ロック及びアンロック機構と
を備える三脚。
【請求項５】
前記三脚の前記脚部の前記角度及び高さが前記中心柱に配置されたハンドルによって決定され、前記ハンドルの前記中心柱に沿った前記位置が機能上、前記三脚の脚部及び前記中心ロック機構がロック状態にあるのか、それともアンロック状態にあるのかを判断する、請求項４に記載の三脚。
【請求項６】
前記三脚の前記配置が、前記三脚をアンロックし、前記ハンドルの前記中心柱に沿った前後の移動を可能にし、前記三脚を所望される形式で再ロックするために、前記ハンドルに配置されたトリガを押すことによって調整される、請求項４に記載の三脚。
【請求項７】
前記三脚の前記アンロックが前記中心柱上の専用の開口部から前記トリガに接続された切込みを引き出すことによって達成され、前記三脚の再ロックが、前記中心柱上の別の専用開口部の中へ前記切込みを挿入することによって達成される、請求項６に記載の三脚。
【請求項８】
前記三脚の前記開閉及び所望される形式でのロックが、２つのステップの実行によって達成される、請求項４に記載の三脚。
【請求項９】
前記高速開閉機構が、トリガを備え、留められたばねに取り付けられたピストンに接続されたハンドルによって作動されるように構成され、操作可能である半自動機構である、請求項４に記載の三脚。
【請求項１０】
三脚の閉鎖形式で、前記トリガを押すと、前記トリガに接続された切込みが前記中心柱上の開口部からリリースされ、前記留められたばね及びそれに接続されたピストンがリリースされ、それによって前記脚部セグメントのアンロック及び拡張を可能にする前記中心柱に対する角度までの前記脚部の自動開放を可能にするために、前記中心柱に沿って前記ハンドルを下方に押し、前記三脚を開かれた拡張された形式でロックすることが、前記ハンドルを下方に摺動し、前記トリガに接続された前記切込みを前記中心柱上の下部開口部にロックするために前記トリガを押すことによって達成される、請求項９に記載の前記三脚。
【請求項１１】
前記三脚の開放形式で、前記トリガを押すと、前記脚部の前記中心柱に向かった集合を可能にし、それによって一方から他方への前記脚部セグメントの挿入を可能にする角度まで前記中心柱に対する前記脚部の開放角度を最小限に抑えるために、前記トリガに接続された前記切込みが前記中心柱上の前記開口部からリリースされ、前記角度に達すると、前記脚部セグメントが前記三脚のサイズを最小限に抑えること、及び閉鎖された格納された形式で前記三脚をロックすることを可能にするために一方から他方へ、機能上挿入される、請求項９に記載の三脚。
【請求項１２】
一方から他方への前記セグメントの挿入が、以下の方法、つまり（ｉ）前記セグメントを前記地面に向けて押すことによって、（ｉｉ）一方から他方への前記セグメントの挿入のために重力を使用するために前記三脚をさかさまにすることによっての内の１つによって達成され、ロックの完了が、前記ハンドルを上方へ引くこと、及び前記三脚の再開放の準備が整った状態での前記ピストンに接続された前記ばねの装填を可能にするために、前記中心柱の最上開口部の中への前記トリガに接続された前記切込みの挿入によって達成される、請求項１１に記載の三脚。
【請求項１３】
写真撮影場所でのユーザによる三脚の高速開放及び配置のための方法であって、前記三脚が、伸縮セグメントを有する脚部、及び留められたばねに接続されたトリガを有するハンドルによって操作される中心ロック機構を備え、
ａ．前記中心ロック機構をアンロックして、前記三脚の脚部の、前記脚部のそれぞれの前記伸縮セグメントの、前記脚部のそれぞれの近傍での前記地面の前記高さに従った前記地面へ自然落下を可能にする角度へのスペーシングを可能にするために前記トリガを押すことと、
ｂ．中心柱に関して前記ハンドルを下方に摺動し、それによって前記脚部及び拡張されたセグメントをステップ（ａ）で達成された前記開放形式で再ロックすることと
を含む方法。
【請求項１４】
前記ユーザが、前記三脚を開き、配置しながら、写真撮影される被写体とアイコンタクトを維持できるようにする、請求項１３に記載の方法。
【請求項１５】
前記三脚が少なくとも、
ａ.写真撮影される被写体に従って前記三脚の高さの調整を可能にするために、前記三脚の開閉時に引き出される及び格納されるように構成された少なくとも２つの伸縮セグメントを有する脚部と、
ｂ.対応する接続アームを介して前記三脚の脚部のそれぞれに接続された中心柱であって、各接続アームが、中心ロック及びアンロック機構の部分として開放形式及び閉鎖形式で前記三脚のロックを可能にするように構成される、中心柱と、
ｃ．前記ユーザが、前記三脚を、以下の形式、つまり閉じられた脚部及び完全に格納された伸縮セグメントでロックされた三脚、閉じられた脚部及び部分的に格納された伸縮セグメントでロックされた三脚、部分的に開かれた脚部及び部分的に引き出された伸縮セグメントでアンロックされた三脚、完全に開かれた脚部及び部分的に引き出された伸縮脚部でロックされた三脚、並びに完全に開かれた脚部及び完全に引き出された伸縮脚部でロックされた三脚の内のいずれか１つに変形できるように構成された中心ロック及びアンロック機構と
を備える、請求項１３に記載の方法。
【請求項１６】
開放ロック形式からの前記三脚の高速閉鎖のために、前記方法が
ｄ.前記トリガを押し、前記中心ロック機構をアンロックし、前記離間された脚部の、一方から他方への前記脚部のそれぞれの前記伸縮セグメントの挿入を可能にする角度までの集合を可能にするために、前記中心柱に沿って前記ハンドルを上方に摺動することと、
ｅ．一方から他方へ、
ｉ．前記地面に向かって前記セグメントを押すことと、
ｉｉ．一方から他方への前記セグメントの挿入のために重力を使用するために前記三脚をさかさまにすることと、
の内の１つによって、前記セグメントを挿入することと、
ｆ．前記脚部及び格納されたセグメントを前記閉じられ、格納された形式に再ロックするために、前記中心柱に沿って前記ハンドルを上方に摺動することと
をさらに含む、請求項１３に記載の方法。
【請求項１７】
少なくとも２つのセグメントを有する伸縮脚部、並びに中心ロック及びアンロック機構を備える三脚であって、前記中心ロック及びアンロック機構が、前記脚部が互いに平行又はほぼ平行である閉鎖形式から、前記脚部が閉鎖形式でのその位置に対して１５度と６０度の間の角度で配備される開放形式に前記三脚の脚部のすべてをリリースする高速プロセスで前記三脚のアンロック及び開放を可能にするように構成され、前記伸縮脚部の開放時、各脚部の前記セグメントが自動的に引き出され、前記三脚の各脚部の近傍での特有の表面高さに従って前記地面から所望される高さでロックされる、三脚。
【請求項１８】
前記ロック及びアンロック機構が、前記三脚が前記脚部の開放位置及び閉鎖位置でのロック状態から、前記脚部の部分開放位置でのアンロック状態に変換されるように、前記三脚の脚部の前記角度に従って、前記三脚の伸縮脚部及び前記脚部のそれぞれのセグメントのロック及びアンロックを可能にするように構成される、請求項１７に記載の三脚。
【請求項１９】
前記中心ロック及びアンロック機構が、２つのステップ、つまり（ｉ）前記中心ロック機構をアンロックするステップと、（ｉｉ）互いの中に各脚部の前記セグメントを挿入するために前記地面に向かって前記脚部を押すステップ、又は前記伸縮セグメントの互いへの重力による挿入を可能にするためにアンロック状態の前記三脚をさかさまにするステップの実行によって、開かれ、引き出された形式から閉じられ、格納された形式への前記三脚の閉鎖及び折り畳みを可能にするように構成される、請求項１７に記載の三脚。
【請求項２０】
前記脚部の閉鎖及び各脚部の前記セグメントの格納時に、ばねが次の使用のために前記脚部の再開放を可能にするために緊張される、請求項１９に記載の三脚。
【請求項２１】
前記中心ロック及びアンロック機構が前記三脚基部の内部に配置される、請求項１７に記載の三脚。
【請求項２２】
接続アームを介して前記三脚の脚部に接続された中心柱をさらに備え、前記中心ロック及びアンロック機構が、前記中心柱に配置されたハンドルによって操作されるように構成され、前記ハンドルの前記中心柱に沿った配置が機能上、前記中心ロック機構がロック状態にあるのか、それともアンロック状態にあるのかを判断する、請求項１７に記載の三脚。
【請求項２３】
前記ハンドルが、前記中心柱上の固定された場所から前記ハンドルをリリースし、再ロックされるために前記中心柱上の別の場所に向かって前記ハンドルの移動を可能にするように構成されるトリガを備える、請求項２２に記載の三脚。
【請求項２４】
切込みの開口部の中への挿入が前記三脚のロックを可能にし、前記開口部からの前記切込みの抽出が前記三脚のアンロック、及び前記ハンドルの前記中心柱に沿った自由な摺動を可能にするように、前記中心柱上の前記場所が、前記トリガに接続された前記切込みの挿入及び抽出を可能にするように構成された前記開口部である、請求項２３に記載の三脚。
【請求項２５】
前記中心ロック機構がロックされている状態で、前記三脚が完全開放形式又は完全閉鎖形式のどちらかであり、前記中心ロック機構がアンロックされている状態で、前記三脚が部分開放形式であり、前記トリガがロック状態からアンロック状態への変形を可能にするように構成される、請求項２４に記載の三脚。
【発明の詳細な説明】
【技術分野】
【０００１】
本発明は、写真撮影設備の分野にある。より詳細には、本発明は、写真撮影時に三脚を開き、配備し、写真撮影現場で三脚を再配置し、及び作業完了後に三脚を梱包するための高速で簡略且つ便利な方法をユーザに提供する、三脚を開く／閉じる、及び脚部セグメントを拡張する／格納するための新規の中心機構を有する三脚に関する。
【背景技術】
【０００２】
写真設備及び他の設備向けの三脚サポートは周知である。多くの変形物が安定性、重量、調節機能、信頼性、コスト、及び使いやすさの問題に対応するために開発されてきた。これらの要因を巻き込むトレードオフが過去において行われてきた。しかしながら、これらのトレードオフは収穫低減に到達してしまったため、革新のかなりの余地がある。
【発明の概要】
【発明が解決しようとする課題】
【０００３】
近年の大部分の開発は、安定性及び信頼できる操作が改善された三脚を提供することに集中してきた。面倒くさく、写真家が自らが撮影すべきショットに集中できるようにする代わりに、写真家の注意を引き付ける使いやすさを改善するためにはほとんどなにもなされていなかった。三脚を開き／閉じ、配置するために要する時間は、繰返しの選択肢がないリアルタイムイベントを写真撮影するときに重大であることがある。
【０００４】
現在、技術で既知の大部分の三脚は写真撮影現場で、手動で開かれ、配備される。つまり、ユーザは三脚のそれぞれの足を別々に開き、それぞれの脚部セグメントを別々にアンロック／ロックし、三脚の長さを、三脚が配置される表面構造に調整しなければならない。
【０００５】
技術では、三脚の開閉のより面倒ではないプロセスを可能にするためにいくつかの試みがなされてきた。係る試みのいくつかの例は以下の特許及び特許出願に開示されている。日本国第２００６１７０４２４（Ａ）号、国際特許出願第２０１２０３０３９１号、国際特許出願第９９２０９３３号、米国第６７９３１９１号、米国第７０８６６３１号、及び中華人民共和国第２０１７３１２４５号。
【０００６】
したがって、三脚の開閉及び配備を簡略化できる機構が所望されていることは明らかである。本発明は係る機構を提供することを目的とする。
【課題を解決するための手段】
【０００７】
本明細書に説明される主題は、ユーザに三脚を操作する簡略で高速、且つフレンドリな方法を提供する革新的な機能付きの新規三脚を対象とする。
【０００８】
以下の説明では、用語「開閉機構」、「ロック／アンロック機構」、及び「ロック／リリース機構」は交互に用いられ、すべては、閉じられ、格納された形から開いた拡張された形に三脚を変形する、及び逆を行う場合に使用される機構を説明するために活用される。
【０００９】
本発明のいくつかの態様に従って、三脚は、脚部が中心柱に平行又はほぼ平行である閉鎖モード（脚部と中心柱との間の０から１０度）から脚部が中心柱に対して約１５から６０度の角度で配備される開放モードへ３本の三脚の脚部を同時にリリースする高速ワンステッププロセスで開かれるように構成される。開放プロセスは、各セグメントを引き出すこと、つまり三脚の各脚部の近傍での表面曲率に従って、地面から所望される高さにテレスコープの内部で自由に摺動することを可能にするために、各脚部に位置する格納された伸縮セグメント（２つのセグメント以上）をさらにリリースする（つまり、三脚頭部又は三脚頭部に取り付けたカメラを、脚部が下降気味の状態で地上に保持するとき、各脚部は表面の平坦度に関わりなく、その近傍での表面曲率に従って拡張される。例えば、三脚が階段、坂、岩の上で、又は地中の穴の中で開かれるとき、脚部の各脚部は、該脚部が配置される表面に従って拡張され、開かれた拡張モードにある脚部の各脚部の長さは、すべて三脚が配置される表面の曲率／輪郭に従って互いと異なることもある他の２本の脚部の長さと異なることがある。
【００１０】
脚部が開かれ、各脚部のセグメントが拡張されるとき、中心ロック機構は、図１から図６に関して以下に説明されるように、少なくとも三（３）つのロックサブ機構の同時ロック、及び任意選択で別の三（３）つから六（６）つのロック機構の同時ロックを可能にする。この中心開閉及びロック機構は、それぞれの脚部を別々に開き、各セグメントをアンロックし、それを所望される長さに引き出し、最後にセグメントのそれぞれを所望される高さで再ロックし、三脚を開き、配備し、使用後三脚を閉じるために反対の順序でアクションの類似したセットを実行する必要を排除する。この動作モードにより、写真家はカメラ場所から写真撮影される対象を見て、位置を変更する又は対象から自分の目を離す必要なく、写真家がショットを撮影するための所望される位置を見つけるとすぐに三脚を固定できる。
【００１１】
本発明の追加の態様に従って、新規三脚は、半自動化された開閉機構を含む。三脚を開き、各脚部のセグメントを拡張するために、ユーザはまず開閉ハンドル内部のトリガを押す。トリガを押すと、三脚の脚部は、各脚部のセグメントがアンロックされ、自動的に拡張される（地面に向かって下方へ下がる）角度まで離間されるようになる。三脚を所望される位置に固定するために、ユーザは次いでハンドルを（三脚を閉じるために）上方へ、又は（三脚を開くために）下方へ移動する。
【００１２】
本発明の別の一態様に従って、新規三脚は、好ましくは三脚基部の中に配置された中心ロック／アンロック機構を含み、１本の脚部を開くと、他の脚部が自動的に開かれるようになる。
【００１３】
本明細書に提供される新規三脚は、さらにユーザが、２つのモード、つまり閉鎖モード及び開放モードで三脚にカメラを接続できるようにする。カメラは閉鎖モードで本発明の三脚に取り付けられてよく、閉鎖モードではカメラは開放及びロックプロセス中、三脚に接続されたままになる。代わりに、カメラは、三脚が開かれた後に本発明の三脚に取り付けられてよい。
【００１４】
本明細書に提供される説明は、まっすぐな脚部を有する三脚を参照するが、本発明が湾曲した脚部で及び凹状の脚部でも同様に実現され、それによって三脚の安定性を改善し得ることは当業者に明らかであるべきである。
【００１５】
本開示の変形形態を示す例は、本明細書に添付される図を参照して以下に説明される。図中、複数の図に表示される同一の構造、要素、又は部分は概して、それらが表示される全ての図中で同じ番号が付けられる。図に図示される構成要素及び特徴の寸法は概して便宜的に及び提示を明確にするために選ばれ、必ずしも縮尺通りに示されていない。提示された図は概略図の形をとり、したがって特定の要素は、説明の明確さのために大幅に簡略化され、又は縮尺通りではなく描かれることがある。図は製作図となることを目的としていない。図は以下に示される。
【図面の簡単な説明】
【００１６】
【図１】Ａ−Ｂ。完全開放モードの高速開閉機構、及び完全に拡張された脚部を有する三脚の一例の概略前面図及び側面図である。
【図２】図１に示された三脚の開閉機構の部分等角クローズアップ図である。
【図３】Ａ−Ｅ。三脚の３つの異なる場所での図１に示される三脚の開閉機構の概略部分断面図及びクローズアップ図である。図３Ａは、３つの主要な領域、つまり中心柱と（図３Ｂのクローズアップ図に示される）３本の接続アームの中の２本との間のロック機構を説明する領域「Ａ」、接続アームと（図３Ｃのクローズアップ図に示される）接続アームに取り付けられた脚部との間のロック機構を示す領域「Ｂ」、及び（図３Ｄから図３Ｅのクローズアップ図に示される）１本の脚部の第２のセグメントと第３のセグメントとの間の接続領域内のロック機構を説明する領域「Ｃ」を示す断面図である。
【図４】その相対接続アーム及びロック要素が中心柱に配置された、図１に示された三脚の１本の脚部の分解図である。
【図５】Ａ−Ｅ。部分開放モードであり、完全に拡張した脚部を有する図１の三脚の概略図である。図５Ａ及び図５Ｂは、それぞれ前面図及び側面図であり、図５Ｃ及び図５Ｅは相対的なロックアーム付きの脚部の第２のセグメントと第３のセグメントとの間の接続領域のクローズアップ図であり、図５Ｄは、三脚脚部、接続アーム、及び開閉機構付きの中心柱の部分断面図である。
【図６】Ａ−Ｃ。脚部がその最小長さまで縮小された状態の、完全閉鎖モードの図１の三脚の（それぞれ）概略前面図、側面図、及び等角図を示す図である。
【図７】脚部の開放角度が脚部及び各脚部のセグメントのロック／アンロックステータスを決定する、本発明に係る高速開放機構付きの三脚２００の別の例の概略前面図である。
【図８】Ａ−Ｃ。高速半自動ロック／アンロック機構付きの三脚３００の別の例の概略前面図である。図８Ａは、脚部が拡張された状態の完全開放状態の三脚３００を示し、図８Ｂは、脚部が部分的に拡張された状態の部分開放モードの三脚３００を示し、図８Ｃは、脚部がその最小長さまで縮小された状態の閉鎖モードの三脚３００を示す。
【図９】Ａ−Ｃ。それぞれ図８Ａから図８Ｃに示される３つのモードの三脚３００の断面図である。各断面図は４つの主要な領域、つまり中心柱領域及びこの領域で動作するロック／アンロック機構を説明する領域「Ａ」、接続アームと、脚部の第１のセグメントと第２のセグメントと、この領域で動作するロック／アンロック機構の間の接合領域を説明する領域「Ｂ」、脚部の第２のセグメントと第３のセグメントと、この領域で動作するロック／アンロック機構との間の接続領域を説明する領域「Ｃ」、並びに中心柱と三脚３００の接続アームとこの領域で動作するロック／アンロック機構との間の接合領域を説明する領域「Ｄ」を示す。
【図１０】Ａ−Ｃ。それぞれ三脚３００の完全開放モード（図１０Ａ）、部分開放モード（図１０Ｂ）、及び完全閉鎖モード（図１０Ｃ）の留められた／留められていないばねに接続されたトリガ及びピストンを含んだ、ロック／アンロック機構の主要な構成部品付きの三脚３００の中心柱を説明する、図９に示される領域「Ａ」の概略クローズアップ図である。
【図１１】Ａ−Ｃ。それぞれ完全開放モード（図１１Ａ）、部分開放モード（図１１Ｂ）、及び完全閉鎖モード（図１１Ｃ）のロック／アンロック機構の主要な構成部品を有する三脚３００の脚部３２０の、接続アームと第１のセグメントと第２のセグメントとの間の接合領域を説明する、図９に示される領域「Ｂ」の概略クローズアップ図である。
【図１２】Ａ−Ｃ。それぞれ完全開放モード（図１２Ａ）、部分開放モード（図１２Ｂ）、及び完全閉鎖モード（図１２Ｃ）のロック／アンロック機構の主要な構成部品付きの三脚３００の３２０脚部の第２のセグメントと第３のセグメントとの間の接続領域を説明する、図９に示される領域「Ｃ」の概略クローズアップ図である。
【図１３】Ａ−Ｃ。それぞれ完全開放モード（図１３Ａ）、部分開放モード（図１３Ｂ）、及び完全閉鎖モード（図１３Ｃ）のロック／アンロック機構の主要な構成部品との、中心柱３１０と接続アーム３２８の間の接合領域を説明する、図９に示される領域「Ｄ」の概略クローズアップ図である。
【図１４】Ａ−Ｂ。開放拡張位置で本発明の三脚に改善された安定性を与えるために二重固定歯ライン構造及びブレーキパッド（break pad）構成を有する、図１の三脚１００又は図８の三脚３００の脚部の接続アームと第１のセグメントと第２のセグメントとの間の接合領域の、それぞれ軸ＡＢに沿った概略等角図及び断面図である。図１４Ａは等角図であり、図１４Ｂは、図１４Ａに示される軸ＡＢに沿った断面図である。
【発明を実施するための形態】
【００１７】
本開示の多様な特徴は単一の実施形態の文脈で説明されることがあるが、特徴は別々に又は任意の適切な組合せで提供されてもよい。逆に、本開示は本明細書において明確にするために別々の実施形態の文脈で説明されることがあるが、本開示は単一の実施形態で実施されてもよい。さらに、本開示は多様な方法で実施又は実践することができること、及び本開示は本明細書で以下に説明される例示的な実施形態以外の実施形態で実現することができることが理解されるべきである。特許請求書の中だけではなく明細書中に提示される説明、例、及び資料も、制限的と解釈されるべきではなく、むしろ実例的と解釈されるべきである。
【００１８】
本発明の一態様では、高速開放及び配置機構を有する三脚が提供される。三脚は、ユーザが、写真撮影される被写体とのアイコンタクト／完全可視性を維持しながら、写真撮影場所で三脚を開くことができるように構成され、該三脚は、伸縮セグメントを有する脚部、及び中心柱上に配置された留められたばねに接続されたトリガを有するハンドルによって操作される中心ロック機構を含み、該トリガを押すと、該中心ロック機構がアンロックされて、三脚脚部のスペーシング及び脚部の各脚部の伸縮セグメントの、脚部のそれぞれの近傍での地面の高さに従った地面に向かった自然落下を可能にし、該ハンドルの中心柱に沿った下方への摺動時、セグメントが拡張された状態の該脚部が開放形式でロックされるようになる。
【００１９】
本発明のいくつかの態様では、三脚の脚部は、写真撮影される被写体に従って該三脚の高さの調整を可能にするために、該三脚の開閉時に引き出され、格納されるように構成された少なくとも２つの伸縮セグメントを含み、中心柱は対応する接続アームを介して該三脚脚部のそれぞれに接続され、各接続アームは中心ロック及びアンロック機構の部分として開放形式及び閉鎖形式で三脚のロックを可能にするように構成され、中心ロック及びアンロック機構は、ユーザが三脚を以下の形式、つまり閉じられた脚部及び完全に格納された伸縮セグメントでロックされた三脚、閉じられた脚部及び部分的に格納された伸縮セグメントでロックされた三脚、部分的に開かれた脚部及び部分的に引き出された伸縮セグメントでアンロックされた三脚、完全に開いた脚部及び部分的に引き出された伸縮脚部でロックされた三脚、並びに完全に開いた脚部及び完全に引き出された伸縮脚部でロックされた三脚のいずれか１つに変形できるように構成される。
【００２０】
本発明のいくつかの態様に従って、三脚の脚部の角度及び高さは、中心柱に配置されたハンドルによって決定され、中心柱に沿ったハンドルの位置が、三脚脚部及び中心ロック機構がロック状態にあるのか、それともアンロック状態にあるのかを機能上判断する。
【００２１】
本発明の追加の態様では、ユーザが三脚を、閉じられ、折り畳まれた形式から開かれ、引き出された形式に変形する、及びその逆を行い、さらに該三脚を写真撮影場所で所望される高さ及び角度でロックできるようにする高速開閉機構を有する三脚が提供され、三脚は、
（ａ）写真撮影される被写体に従って三脚の高さの調整を可能にするために三脚の開閉時に引き出される及び格納されるように構成された少なくとも２つの伸縮セグメントを有する脚部と、
（ｂ）対応する接続アームを介して該三脚脚部のそれぞれに接続される中心柱であって、各接続アームが中心ロック及びアンロック機構の部分として開放形式及び閉鎖形式での三脚のロックを可能にするように構成される、中心柱と、
（ｃ）ユーザが三脚を、以下の形式、つまり閉じられた脚部及び完全に格納された伸縮セグメントでロックされた三脚、閉じられた脚部及び部分的に格納された伸縮セグメントでロックされた三脚、部分的に開いた脚部及び部分的に引き出された伸縮セグメントでアンロックされた三脚、完全に開かれた脚部及び部分的に引き出された伸縮脚部でロックされた三脚、並びに完全に開いた脚部及び完全に引き出された伸縮脚部でロックされた三脚の内のいずれか１つに変形できるように構成された中心ロック及びアンロック機構と
を含む。
【００２２】
三脚の脚部の角度及び高さは、該中心柱上に配置されたハンドルによって決定されてよく、該中心柱に沿ったハンドルの位置は、三脚脚部及び中心ロック機構がロック状態にあるのか、それともアンロック状態にあるのかを機能上判断する。
【００２３】
三脚の配置は、三脚をアンロックし、ハンドルの中心柱に沿った前後の移動を可能にし、所望される形式で三脚を再ロックするためにハンドル上に配置されたトリガを押すことによって調整されてよい。
【００２４】
三脚のアンロックは、中心柱上の専用開口部からトリガに接続された切込みを引き出すことによって達成され、三脚の再ロックは、中心柱上の別の専用開口部の中に切込みを挿入することによって達成される。
【００２５】
いくつかの実施形態では、三脚の開閉及び所望される形式での三脚のロックは２つのステップを実行することにより達成される。
【００２６】
本発明のいくつかの変形形態では、高速開閉機構は、トリガを含み、留められたばねに取り付けられたピストンに接続されたハンドルによって作動されるように構成され、操作可能である半自動機構である。係る変形形態では、三脚の閉鎖形式で、トリガを押すと、トリガに接続された切込みが中心柱上の開口部からリリースされ、留められたばね及びそれに接続されたピストンがリリースされ、それによって該脚部セグメントのアンロック及び拡張を可能にする中心柱に対する角度までの伸縮脚部の自動開放を可能にするために、中心柱に沿ってハンドルを下方へ押す。開いた拡張された形式で三脚をロックすることは、トリガに接続された切込みを中心柱の下部開口部の中にロックするためにハンドルを下方に摺動し、トリガを押すことによって達成される。代わりに、トリガに接続された切込みは、ハンドルを下方又は上方に摺動するときに中心柱の開口部の内の１つの中に自動的に挿入され、ユーザは開口部から切込みをリリースするためだけにトリガを押さなければならない。
【００２７】
三脚の開放形式で、トリガを押すと、トリガに接続された切込みは中心柱に向かった三脚脚部の集合を可能にし、それによって脚部セグメントの一方から他方への挿入を可能にする角度までの中心柱に対する脚部の開放角度を最小限に抑えるために、中心柱の開口部からリリースされる。その角度に達すると、セグメントは、機能上、三脚のサイズを最小限に抑え、閉じられ、格納された形式で三脚をロックすることを可能にするために、一方から他方に挿入される。
【００２８】
セグメントの一方から他方への挿入は、以下の方法、つまり（ｉ）地面に向かってセグメントを押すことによって、（ii）セグメントの一方から他方への挿入のために重力を使用するために三脚をさかさまにすることによっての内の１つにより達成され得る。ロックの完了は、三脚の再開放の準備完了した状態でピストンに接続されたばねの装填を可能にするために、ハンドルを上方に引っ張り、トリガに接続された切込みの中心柱の最上開口部の中への挿入によって達成される。
【００２９】
本明細書に提供される主題は、写真撮影場所でのユーザによる高速開放及び配置のための方法をさらに対象とし、三脚は、伸縮セグメント及び留められたばねに接続されたトリガを有するハンドルによって操作される中心ロック機構を有する脚部を含み、該方法は、（a）該脚部のそれぞれの近傍での地面の高さに従って、脚部のそれぞれの伸縮セグメントの地面への自然落下を可能にする角度までの三脚脚部のスペーシングを可能にするために中心ロック機構をアンロックするようにトリガを押すことと、（ｂ）中心柱に相してハンドルを下方へ摺動させ、それによってステップ（a）で得られた開放形式で脚部及び拡張されたセグメントを再ロックすることを含む。
【００３０】
方法は、ユーザが、該三脚を開き、配置しながら、写真撮影される被写体とアイコンタクトを維持できるようにする。
【００３１】
上記に係る方法は、三脚が少なくとも以下、つまり（a）写真撮影される被写体に従った三脚の高さの調整を可能にするために、三脚の開閉時に引き出され、格納されるように構成された少なくとも２つの伸縮セグメントを有する脚部、（ｂ）対応する接続アームを介して三脚脚部のそれぞれに接続された中心柱であって、各接続アームが中心ロック及びアンロック機構の部分として開放形式及び閉鎖形式での三脚のロックを可能にするように構成される、中心柱、及び（ｃ）ユーザが三脚を、以下の形式、つまり閉じられた脚部及び完全に格納された伸縮セグメントでロックされた三脚、閉じられた脚部及び部分的に格納された伸縮セグメントでロックされた三脚、部分的に開いた脚部及び部分的に引き出された伸縮セグメントでアンロックされた三脚、完全に開いた脚部及び部分的に引き出された伸縮脚部でロックされた三脚、並びに完全に開いた脚部及び完全に引き出された伸縮脚部でロックされた三脚の内のいずれか１つに変形できるように構成された中心ロック及びアンロック機構を含むときに実施され得る。
【００３２】
本明細書に提示された方法の例に従って、開かれ、ロックされた形式からの三脚の高速閉鎖のために、方法は以下のステップ、つまり（ｄ）トリガを押し、ハンドルを中心柱に沿って上方に摺動させて、中心ロック機構をアンロックし、離間された脚部の、一方から他方へのそれぞれの該脚部の伸縮セグメントの挿入を可能にする角度までの集合を可能にするステップ、（ｅ）以下、つまりセグメントを地面に向かって押すこと、又は一方から他方へセグメントの挿入のために重力を使用するために三脚をさかまにすることの内の１つにより一方から他方へセグメントを挿入するステップ、及び（ｆ）脚部及び閉じられ、格納された形式で格納されたセグメントを再ロックするために中心柱に沿って上方にハンドルを摺動するステップをさらに含む。
【００３３】
また、本発明の主題は少なくとも２つのセグメントを有する伸縮脚部、並びに中心ロック及びアンロック機構を含む三脚も対象とする。中心ロック及びアンロック機構は、脚部が互いに平行又はほぼ平行である閉鎖形式から、脚部が閉鎖形式でのその位置に対して１５度と６０度の間の角度で配備される開放形式に三脚脚部のすべてをリリースする高速プロセスでの三脚のアンロック及び開放を可能にするように構成される。伸縮脚部の開放時、各脚部のセグメントは、三脚の各脚部の近傍での特有の表面高さに従って、地面に関して所望される高さで自動的に引き出され、ロックされる。係る実施形態では、ロック及びアンロック機構は、三脚が脚部の開放位置で及び閉鎖位置でのロック状態から、脚部の部分的に開かれた位置でのアンロック状態に変形されるように、三脚脚部の角度に従って該脚部のそれぞれの三脚伸縮脚部及び伸縮セグメントのロック及びアンロックを可能にするように構成される。
【００３４】
中心ロック及びアンロック機構は、２つのステップ、つまり（ｉ）中心ロック機構をアンロックするステップ、及び（ｉｉ）各脚部のセグメントを互いに挿入するために、又は伸縮セグメントの重力による互いへの挿入を可能にするためにアンロック状態の三脚をさかさまにすることによって地面に向かって脚部を押すステップを実行することによって、開かれ、引き出された形式から閉じられ、格納された形式への三脚の閉鎖及び折り畳みを可能にするように構成される。
【００３５】
脚部の閉鎖及び各脚部のセグメントの格納時、ばねは、次の使用のための脚部の再開放を可能にするために緊張される。
【００３６】
中心ロック及びアンロック機構は、三脚基部の中に配置されてもよい。
【００３７】
本発明のいくつかの態様では、三脚は、脚部のそれぞれを中心柱と接続するように適応された接続アームを介して三脚脚部に接続される中心柱をさらに含んでよい。中心ロック及びアンロック機構は、中心柱に配置されるハンドルによって操作されるように構成され、中心柱に沿ったハンドルの配置は、中心ロック機構がロック状態にあるのか、それともアンロック状態にあるのかを機能上判断する。ハンドルは、中心柱の固定場所からハンドルをリリースし、再ロックされるために、ハンドルの中心柱の別の場所に向かう移動を可能にするように構成されるトリガを含む。中心柱上の該場所は、開口部への切込みの挿入が三脚のロックを可能にし、開口部からの切込みの抽出が三脚のアンロック及び中心柱に沿ったハンドルの摺動を可能にするように、トリガに接続された切込みの挿入及び抽出を可能にするように構成された開口部であってよい。
【００３８】
中心ロック機構がロックされている状態では、三脚は完全開放形式又は完全閉鎖形式のどちらかにある。中心ロック機構がアンロックされている状態では、三脚は部分開放形式にあり、トリガはロック状態からアンロック状態への変形を可能にするように構成される。
【００３９】
ここで、高速開閉機構が完全開放モードにあり、完全に拡張された脚部を有する三脚の一例の概略前面図及び側面図を表す図１Ａ及び図１Ｂに対する参照が行われる。
【００４０】
これらの図に示される例では、三脚１００は、カメラ１０に取り付けられるように構成され、作動する、三脚の一体化した部分であってよい、又はその分けられた部分であってよい頭部１０２、３本の脚部１２０に、及び中心柱１１０にヒンジ２０によって接続された基部１０６を含む。中心柱１１０は、柱１１０が基部１０６を通過するように基部１０６に機能上接続される。中心柱１１０は、アーム１２８を介して脚部１２０のそれぞれの脚部にも接続される。アーム１２８は１つの頑丈な要素として構造化されてよい。代わりに、アーム１２８は、写真家が三脚をそれとともに運ぶのをより容易にするために三脚の総重量を削減するための空洞１２８１を含んでよい。
【００４１】
図１に示される例では、脚部１２０の各脚部は伸縮脚部であり、３つのセグメント、つまり上部セグメント１２２（第１のセグメント）、中央セグメント１２４（第２のセグメント）、及び下部セグメント１２６（第３のセグメント）から構成される。任意選択で、第４のセグメントが三脚脚部に追加されてよい。脚部は、制限なく、金属、木材、プラスチック、及びその組合せ等の多様な材料から作られてよい。本発明の１つの好ましい実施形態に従って、脚部は、三脚の運搬可能性特性にとって重要であるより軽い重量を三脚に与えるために、プラスチック製である。
【００４２】
図１に示される本発明の特有の変形形態では、各脚部は、三脚が上に配置される地面が砂又は他の堅固ではない表面から作られるときに三脚により優れた立つ能力を与える鋭い足１２７で終わる。本発明のいくつかの実施形態では、足１２７は、足が建築された表面に配置されるときに、足の鋭い先端が床に傷を付ける又はそれ以外の場合床に損傷を与えるのを回避するために、好ましくはゴム製であり、足１２７の上で回転するように構成される球形のカバー１２９によって覆われてよい。
【００４３】
三脚１００は、１つのロックアクション及び１つのアンロックアクションによって脚部セグメント及び接続アームの脚部及び中心柱との同時ロックを可能にする新規のロック／アンロック機構を含む。新規のロック機構は、以下の図２から図３を参照して詳細に説明される。
【００４４】
脚部１２０の上部セグメント１２２は、セグメントの一体化した構成部品として、又は独立した構成部品として設計されてよい把持ハンドル１０８を含んでよい。把持ハンドル１０８は、通常、一般的な天候状況及び特に極端な天候状況で三脚を保持するため（つまり、手に汗をかいた結果としての暑い天気での三脚の滑りを回避するため、及び寒い気温での手の低温火傷を回避するため）の便利な方法をユーザに許すために使用される。上部セグメント１２２はその上側で三脚基部１０６に、及びその下側で第２のセグメント１２４に接続される。上部セグメント１２２の下側は中間セグメント１２４との接続領域での軸受けスリーブ１２３、及び軸受けのロック１２３１を含む（軸受けスリーブ及びロックのクローズアップ図は図２に提供される）。任意選択で、類似する軸受けスリーブ及びロックは、第２のセグメントと第３のセグメントとの間で接続するために、第３の下部セグメント１２６との接続領域で中間セグメント１２４の下側に位置してよい。本発明のいくつかの実施形態では、第１のセグメントは、一体化した部分として、上記に言及された構成部品のすべて又はいくつかを有する１つの統合されたユニットとして作られてよい。
【００４５】
中間セグメント１２４は、脚部１２０の各脚部の第２のセグメント１２４の第３のセグメント１２６との同時ロックを行うギヤ歯ライン（歯）１２５を含む。ギヤ歯ライン１２５は専用レールに配置されるので、ギヤ歯ライン１２５は可動である。いくつかの実施形態では、三脚に追加の安定性並びに衝突することなく重いカメラ及び他の製品を運ぶ能力を与えるために、中間セグメント１２４は、好ましくは水平面でセグメント外形に刻まれた頑丈なギヤ歯ラインをさらに含んでよい。移動能力を有する第１のギヤ歯ラインと対照的に、この頑丈なギヤ歯ラインは固定される。係る実施形態の詳細な説明は、図１４Ａから図１４Ｂを参照して説明される。
【００４６】
三脚の脚部が前へセグメント（不図示）を含む状況では、第３のセグメントは、第３のセグメント及び前へセグメントのロックを可能にするように構成された類似する機構も含んでよい。代わりに、第３のセグメント及び第４のセグメントは手動でロック及びアンロックされてよい。
【００４７】
いくつかの実施形態では、中心柱１１０は、三脚１００の開閉並びに脚部セグメント１２２、１２４、及び１２６の同時リリースのために使用されるトリガ１１４を有する運搬ハンドル１１２に機能上接続される。また、運搬ハンドル１１２は以後「開閉ハンドル」とも示される。図１から図６に示される例では、トリガ１１４は、脚部を中心柱１１０に接続するヒンジ結合要素として働く３本の接続アーム１２８にさらに接続される中心ロック１１６に接続される。中心柱１１０の先端は、三脚１００の追加の安定性が必要とされるときに、錘の吊り下げを可能にするように構成されたフックを含んでよい。
【００４８】
図２は、図１に示された三脚１００の開閉機構２８の部分等角クローズアップ図である。この図には、それぞれ第１のセグメント、第２のセグメント、及び第３のセグメント１２２、１２４、及び１２６を有する脚部１２０、把持ハンドル１０８、空洞１２８１を有する接続アーム１２８、第２のセグメント１２４のギヤ歯ライン１２５、運搬ハンドル１１２及びトリガ１１４とともに中心柱１１０、フック１１８、中心ロック１１６、ヒンジ２０、各脚部のヒンジソケット２１、三脚１００の完全開放モード及び完全閉鎖モードで２つのロック点を提供する偏心器２４の第１のロック部、及び偏心器２６の第２のロック部を有する偏心ロック機構２８が示される。また、この図には、軸受けスリーブ１２３及び軸受けスリーブロック１２３１も示される。
【００４９】
脚部が格納された状態の完全閉鎖モードから脚部が拡張された完全開放モードへの三脚１００の開放は、トリガ１１４を押し、ハンドル１１２を下方に押すことによって達成される。この移動が、中心柱１１０に対して平行位置又はほぼ平行位置から垂直位置へアーム１２８を押す。トリガ１１４を押すことによって、偏心ロック機構２８はその第１のロック点からリリースされ、その位置を第２のロック点に向かって変更し始める（２つのロック点２４及び２６のクローズアップ図は図５Ｅに提供される）。同時に、３本の伸縮脚部１２０がリリースされ、各脚部のセグメントは、脚部の各脚部の近傍での表面曲率に従って可能である最大長さまで拡張される。この固有の特徴が、追加の移動及び三脚が平坦ではない表面に配置されるときに通常必要とされる各脚部長の調整を実行することから写真家を解放する。偏心ロック機構が第２のロック点に達すると、三脚は完全に開かれ、ロックされる。本明細書に説明される機構は、写真家が１つの簡略なアクションで三脚を開き、ロックできるようにする。図２に示される特有の例では、新規の三脚は、単にトリガを押し、開閉機構を下方に押すことによって脚部に配置される少なくとも三（３）つのロック機構、及び任意選択で、中心柱に配置された３つの追加の機構の同時操作を可能にするように構成される。三脚を閉じるためには、類似するアクションが反対方向で、つまり反対方向で、つまりトリガを押してロックをリリースし、開閉ハンドルを上方に押すことが必要とされる。この固有の特徴が、各脚部及び各脚部のセグメントの内の各セグメントの別々の開放及びロックを必要とする、市販されている三脚を開き、配置するために通常要する写真家の多くの時間及び努力を省く。写真撮影会の始まりで三脚を開き、各セグメントをアンロックし、各セグメントを１回又は複数回所望される位置に再ロックし、次いで撮影会の最後に三脚を閉じるために要する時間を考慮すると、本発明の三脚は多くのステップ及び貴重な時間を省き、写真家が、設備を準備することにではなく、写真撮影プロセス自体及び写真撮影される被写体に集中できるようにする。
【００５０】
また、中間セグメント１２４及び下部セグメント１２６のロックは、中心柱１１０のロックを用いて、脚部１２０及び接続アーム１２８のロックまで同時に又は一斉に達成され得る。つまり、１つの単独の行為を実行することによって、９つのロック機構が操作され得る。これは、例えば、中心柱１１０並びに第１の脚部セグメント及び第２の脚部セグメント１２２、１２４をロックして、第２のセグメント１２４に配置されたギヤ歯ライン１２５をさらに移動して、第３のセグメント１２６をロックするために使用されたロック機構２８を使用することによって達成され得る。類似する機構は、（第4のセグメントを含む三脚で）第３のセグメント及び第４のセグメントをロックするために適用され得る。このロック機構のより詳細な説明は、以下の図３に関して提供される。
【００５１】
代わりに、第２のセグメント及び第３のセグメント（並びに、存在する場合は第３のセグメント及び第４のセグメント）のロック機構は、この機能にとって適切で、市販されているあらゆる標準ロックにより手動で達成されてよい。
【００５２】
図３Ａから図３Ｅは、３つの接合部（接続点）、つまり中心ロック領域での中心柱１１０とアーム１２８との間の接続を説明する領域「Ａ」（図３Ｂ）、接続アーム１２８とそれに接続された対応する脚部との間の接続を説明する領域「Ｂ」（図３Ｃ、図３Ｅ）、並びに１本の脚部の第２のセグメントと第３のセグメント１２４、１２６との間の接続を説明する領域「Ｃ」（図３Ｄ）での図１に示された三脚の開閉機構を示す、中心柱１１０及び脚部１２０の内の１本の概略部分断面図である。
【００５３】
これらの図に示される例では、各脚部の第１のセグメント１２２及び第２のセグメント１２４のロックは、六（６）つの偏心ロック機構、つまり中心柱１１０に配置され、中心柱１１０及び３本のアーム１２８をロックするために機能する３つと、各アーム１２８に配置され、アーク及びアームに取り付けられた対応する脚部１２０をロックするために機能する追加の３つを同時にロックする中心柱１１０をロックすることによって実行される。接続アーム１２８は、各端部で、三脚が完全に閉じられているとき、及び三脚が完全に開いているときに、三脚１００の２つの位置でのロック、つまり偏心ロック機構２４の第１の領域から偏心ロック機構２６の第２の領域へのはめば歯車２７の遷移を可能にするように構成され、作動する非連続非対称はめば歯車２７を含む。一方、それらの間、三脚はアンロック状態にあり、ユーザによる所望される位置への装置の調整を可能にする。このプロセスは、最初にピン（不図示）を中心柱１１０の中に挿入して、第１のロック位置をリリースするトリガ１１４を押し、ハンドル１１２を（三脚を閉じるために）上へ又は（三脚を開くために）下へ押すことによって可能にされる。市販されている大部分の三脚においてのように脚部自体にロックを配置する（長手方向平面）代わりに、本発明では、ロックが接続アーム１２８（横断方向平面）に配置されるので、各セグメントのロックが本発明に従って配置される寸法は、先行技術の三脚に比較して変更される。この概念上の変更は、すべての３つ／６つのロック機構２８の同時ロックを可能にし、先行技術の三脚で必要とされたように別々に各脚部で各セグメントをロックする／アンロックする必要を省く。
【００５４】
図３Ａから図３Ｄに示される本発明の１つの任意選択の変形形態で、脚部１２０のそれぞれでの中間（第２の）セグメント１２４及び下部（第３の）セグメント１２６のロックは、上部（第１の）セグメント１２２及び中間セグメント１２４のロックとともに３つすべての脚部で同時に又は一斉に実行される。係る変形形態では、各脚部の中間セグメント１２４はギヤ歯ライン１２５を含む。軸受けスリーブ１２３’がニッチ２５の中に嵌合するように構成される突出部１２３０’を含むのに対し、ギヤ歯ライン１２５の下端部はニッチ２５を含む。脚部の上部セグメント及び中間セグメントをロックすることが実行されるとき、中間セグメント上のギヤ歯ライン１２５は下方に押され、下部セグメントの中にぴったり合う。三脚を閉じると、第１のセグメント及び第２のセグメント１２２、１２４のロックのリリースはギヤ歯ライン１２５を上方へ引っ張り、それによって中間セグメント及び下部セグメント１２４、１２６をアンロックする。図３Ｄ、図３Ｅには、軸受け１２３をセグメント１２４にロックするのを機能上支援する切込み２２も示される。
【００５５】
また、説明されたロック機構は、４つのセグメントを有する脚部を含む三脚の第４のセグメントをロックする／アンロックするために適用されてもよい。代わりに、中間セグメント及び下部セグメント（並びにそれが存在するときは第３のセグメント及び第４のセグメント）のロックは、摩擦又はクランプアクションによって従来の三脚においてと同様にロックされる特有の脚部セグメント上に配置されたロックのいずれか１つによって手動で実行されてよい。
【００５６】
本発明のいくつかの変形形態では、第２のセグメント及び第３のセグメント、又は第３のセグメント及び第４のセグメントのロックが手動で実行されるとき、第２のセグメントと第３のセグメントとの間、及び第３のセグメントと第４のセグメントとの間のロック機構は、それらのセグメントを完全に開放又は完全に閉鎖のどちらかとして保持できる確かなばねで留められたロックに基づいてよい。このタイプのセグメントは、絶対的な開かれたセグメントである。係る実施形態では、第２のセグメントは２つの開口部、つまり上部開口部及び下部開口部（不図示）を有する。一方、第３のセグメントはばねで留められたボタンを含む。ばねで留められたボタンが下部開口部を通って突出するとき、ばねで留められたボタンは第３のセグメントをその完全に拡張された状態でロックする。ユーザがボタンを押し込むまで、セグメントの相対的な拡張部は移動できない。ボタンはその完全に格納された状態で、代わりに上部開口部から突出するだろう。この確かなロックの目的は、写真家にとって現実の問題を生じさせることがある、動作中にクランプが緩む可能性を取り除くことである。圧力が多すぎると、管は損傷することがあり、圧力が少なすぎると、ラッチは信頼できない。多くの三脚はこの問題に対する調整を有し、それを対処するもう１つのことにする。確かなロックは調整の必要性を未然に防ぐ。また、確かなロックは、２つの確実にロックされた位置の内の１つに設定するのに高速且つ容易であることがある。第２の／第３のセグメントが追加の開口部を含むとき、第３の／第４のセグメントの確かなロックの追加の位置を提供できる。
【００５７】
高さ調整のオプションの組合せは、第３のセグメント及び第４のセグメントの拡張の少数の離散位置を有することによって削減されるが、無限に調整可能なセグメントが同じ長さである、又は最小の絶対的なセグメントよりも大きい限り、最小値と最大値との間の任意の高さが達成可能である。この方式は、三脚の完全性のために依存する必要があるカムロックを３という因数で削減する。
【００５８】
図４は、その対応する接続アーム１２８が空洞１２８１、及び各端部に２つのロック点２４及び２６を含む非連続非対称はめば歯車２７、並びに開閉ハンドル１１２、トリガ１１４、３本のアームのそれぞれへの中心ロックの接続を可能にするために、ヒンジ２０ごとに１つ、３つのヒンジソケット２１を含んだ中心ロック１１６、及びフック１１８を明示する中心柱１１０の下部を有する三脚１００の脚部１２０の一例の分解図である。脚部１２０は、上部セグメント１２２、中間セグメント１２４、及び下部セグメント１２６を含む。上部セグメントは一体化した把持領域１０８を含み、それは軸受けスリーブ１２３を介してヒンジソケット２１の中に配置されたヒンジ２０によって中間セグメント１２４に接続される。任意選択で、セグメントの分離を回避するように構成されたリング２３が追加されてよい。図４には、第２のセグメント１２４、ニッチ２５付きのギヤ歯ライン１２５、及び突出領域１２３０’が第２のセグメント１２４と第３のセグメント１２６との間に配置された軸受け１２３’も示される。
【００５９】
図５Ａから図５Ｅは部分開放モード及び完全拡張脚部での三脚１００の概略図である。図５Ａ及び図５Ｂはそれぞれ前面図及び側面図である。図５Ｃ及び図５Ｅは、１本の脚部１２０の第２のセグメントと第３のセグメントの間の、相対接続アーム１２８との接続領域、並びに２つのロック領域２４及び２８を有するロック機構を明示するクローズアップ図である。図５Ｄは三脚の脚部及びこの領域で動作する開閉構成部品を有する中心柱の部分断面図である。
【００６０】
三脚１００の部分開放／閉鎖モードでは、アーム１２８は、三脚の開閉レベルに従って変化する中心柱１１０に対して０度〜９０度の範囲にある角度１５となる。クローズアップ図（図５Ｃ、図５Ｅ）では、この位置で、偏心ロックはリリースされた位置に、つまり２つのロック点２４と２６の間の凹んだ領域２４６にあることが分かる。中心柱がアームでロックされる状況では、類似したプロセスが中心柱１１０との接続領域でのアーム１２８の他端で実行される（図５Ｄ）。図５Ａから図５Ｅに示される三脚１００の他のすべての構成部品は、図１から図４に関して柔術されたのと同じである。
【００６１】
図６Ａから図６Ｃは、脚部がその最小長さに格納された状態の完全閉鎖モードにある図１の三脚１００の（それぞれ）概略前面図、側面図、及び等角図である。これらの図には、カメラ１０、三脚頭部１０２、保持領域１０４、三脚基部１０６、ヒンジ２０、一体化した把持ハンドル１０８付きの脚部１２０の第１のセグメント１２２、軸受けスリーブ１２３、軸受けスリーブのロック１２３１、第１のセグメント１２２の中に格納された第２のセグメント１２４及び第３のセグメント１２６、足１２７、足のカバー１２９、中心柱１１０、開閉ハンドル１１２、トリガ１１４、中心ロック１１６、折り畳まれた位置（脚部に及び中心柱に対して０から１０度の角度）にある接続アーム１２８、並びに接続アーム１２８１の空洞が示される。完全閉鎖モードで、全ての脚部セグメントが格納されるとき、偏心ロック機構２８は第１のロック点２４で固定される。
【００６２】
図７は、本発明に係る高速開閉機構付きの三脚２００の１つの別の例の概略前面図である。該高速開閉機構では、ロック／アンロック機構は、３本の脚部の開閉を同期させるように構成された軸受け接合部として機能する三脚基部領域内に配置される。三脚基部に対する一方の脚部の開放角度が他方の脚部の位置、及び脚部セグメントのロック／アンロックステータスも決定する。この図に示される例では、三脚２００は３本の伸縮脚部２２０を含み、中心柱は有さない。三脚基部に対する三脚２００の脚部２２０の内のいずれか１本の角度を変更することによって、ユーザは三脚基部２０６の中に配置されたロック／アンロック機構を操作して、伸縮脚部のそれぞれでセグメントをさらにロック／リリースする。また、この図には、三脚頭部２０２、脚部２２０の上部セグメント２２２、中間セグメント２２４、及び下部セグメント２２６、脚部の足２２９、足カバー２２９１、及び把持ハンドル２０８も示される。
【００６３】
本発明の例に従って、各脚部のセグメントのロックは、三脚の構造要素間の摩擦力を強化することによって、幾何学ロックを使用することによって、及び両方の方法論の組合せによって等であるが、これに限定されるものではない多様な手段によって達成されてよい。セグメントと接続アームとの間の摩擦力の強化時、セグメントは摩擦でロックされるようになり、セグメントの移動は、たとえあったとしても最小値に削減される。同様に、接続アームと脚部セグメントとの間の摩擦力を削減するとき、移動が可能になる。上記に加えて、２つの平行した構造の、歯ライン又は歯車又はウェッジとの、構造構成部品が同じ次元に配置され、歯が互いに係合し、したがって移動を妨げるような統合等の、幾何学ロック機構。別の代替オプションは、専用開口部の中に挿入され、それによって三角柱の関係する構造要素の移動を妨げるピンを使用することである。
【００６４】
以下の説明では、上述されたロック機構の特有の例は、図８から図１４に関して説明される。
【００６５】
図８から図１３は、中心柱に配置されたハンドルによって操作される高速開閉機構を有する三脚３００の１つの別の例の多様な態様及び図の概略図である。この例の開放機構は半自動であり、トリガを含み、留められたばねに取り付けられたピストンに接続されたハンドルによって操作される。三脚３００の閉鎖形式では、トリガを押すと、トリガに接続された小さな切込みが中心柱外形の開口部からリリースされ、留められたばね及びそれに接続されたピストンがリリースされ、中心柱に沿って下方にハンドルを押す。その結果として、伸縮脚部は、脚部のそれぞれでのセグメントのリリース（アンロック）及び拡張を可能にする（中心柱に対する）角度まで自動的に開く。ユーザはこの段階ではトリガを押すことだけを必要とされ、片手を使用してそれを行ってよい。この位置で、三脚の脚部及びセグメントはアンロックされ、所望された角度まで自動的に拡張する。この開かれ、拡張された位置で三脚をロックするために、ユーザはハンドルを下方に移動する。トリガは、トリガに接続された切込みが中心柱の下部開口部の中に挿入されるにつれて、隣接開口部の中でロックされるようになる。その位置から三脚を閉じるために、ユーザは再びトリガを押し、一方から他方へのセグメントの挿入を可能にする角度まで、中心柱に対する脚部の開放角度を最小限に抑えるために脚部を中心柱に向かって集め、その角度に達すると、ユーザは各セグメントを１つ上のセグメントに挿入し、三脚をその最小サイズにするために地面に向かって前かがみになるか、又はユーザは三脚をその位置でさかさまにし、重力によるセグメントの一方から他方への挿入を可能にするかのどちらかであってよい。その状態でのロックの完了は、ハンドルを上方に引き上げ、トリガに接続された切込みの、中心柱外形での最上開口部の中への挿入によって達成される。この操作により、三脚の再開放の準備が整った状態でピストンに接続されたばねを留め、さらに閉鎖格納形式で三脚をロックすることになる。図１から図６に示される三脚１００及び図８から図１３に示される三脚３００の共通の特徴は基本的に同じであり、したがって三脚１００に関して提供される詳細な説明は三脚３００の説明にも当てはまるため、繰り返ない。
【００６６】
図８Ａから図８Ｃ、及び図９Ａから図９Ｃは、三脚の自動的な開放のための留められたばねに取り付けられたピストンに接続されたトリガを有する高速半自動開閉機構付きの三脚３００のそれぞれ概略前面図及び断面図である。図８Ａ及び図９Ａは、脚部が拡張された完全開放状態の三脚３００を示す。図８Ｂ及び図９Ｂは、脚部が部分的に拡張された部分開放モードでの三脚３００を示し、図８Ｃ及び図９Ｃは、脚部がその最小長まで縮小された閉鎖モードでの三脚３００を示す。各断面図は４つの主要な領域、つまりトリガ及びピストンが三脚３００の中心柱に配置された状態のロック／アンロック機構を説明する領域「Ａ」、接続アームと、脚部の第１のセグメントと第２のセグメントとの間の接合領域を説明する領域「Ｂ」、脚部の第２のセグメントと第３のセグメントとの間の接続領域を説明する領域「Ｃ」、及び三脚３００の中心柱と接続アームとの間の接合領域を説明する領域「Ｄ」を示す。
【００６７】
これらの図には、三脚頭部３０２、中心柱の上部３０４、ヒンジ２０を介して三脚脚部３２０の内の各脚部に接続された三脚脚部３０６、把持ハンドル３０８、中心柱３１０、開閉ハンドル３１２、トリガ３１４、中心ロック３１６、フック３１８、上部セグメント３２２、中間セグメント３２４、及び下部セグメント３２６を有する三脚脚部３２０、軸受けスリーブ３２３及び軸受けのロック３２３１を介して一方の端部で脚部の上部セグメントに及び他方端部で中心柱に接続された接続アーム３２８、足３２９、並びに足カバー３２９１が示される。これらの図には、ピストン３９０も示される。ピストン３９０は、図１０Ａから図１０Ｃに関して詳細に図示されるようにばねに接続される。
【００６８】
図１０Ａから図１０Ｃは、それぞれ完全開放モード（図１０Ａ）、部分開放モード（図１０Ｂ）、及び完全閉鎖モード（図１０Ｃ）での半自動開放（ロック／アンロック）機構の主要な構成要素を有する三脚３００の中心柱を説明する図９に示される領域「Ａ」の概略クローズアップ断面図である。
【００６９】
上述されたように、ユーザ（通常、写真家）は閉鎖格納形式から三脚３００を開くことを希望するとき、写真家は最初に開閉ハンドル３１２内部に配置されたトリガ３１４を押す必要がある。ハンドル３１２は、以後「開閉ハンドル」とも示される。トリガ３１４は、開閉ハンドル３１２内部に配置され、側面側に板ばね３１４２及び中心柱に近い内側に小さい切込み３１４４を含む。トリガを押すと、板ばねは開放ハンドル３１２に向かって押され、その結果として切込み３１４４は同じ方向で引かれ、中心柱３１０に存在する専用の開口部３１４６から引き出される。さらに、トリガ３１４を押すと、閉鎖され、折り畳まれた状態で留められたばね３９２に接続されているピストン３９０がリリースされる。留められたばね３９２及びピストン３９０をリリースすると、三脚は、脚部３２０のそれぞれの脚部の伸縮脚部セグメントを機能上アンロックする角度まで自動的に開かれ、それらを地面に向かって拡張できるようにする。各脚部はその近傍での地形に従って拡張されるようになる。ピストン３９０及びばね３９２の中心柱に沿った移動は、ストッパー３９６によって上面で、及びストッパー３９４によって底面で制限される。図に示されるように、ピストンと、三脚の上面でのストッパー３９６との間の空間は、留められた／留められていないばねの状態及びピストンの位置に従って変化する。開放形式で、ばねは緩められ、ピストンはリリースされ、ピストンと上部ストッパーとの間の空間は最大になる。一方、ばねが留められ、ピストンの大部分がハンドル３１２の中に配置される、折り畳まれ、押し出された形式では、上部ストッパー３９６はピストンに触れている（上部ストッパー３９６及びピストンの間に空間はない）。三脚の部分開放位置で、ばねは緩められ、ピストンはリリースされ、上部ストッパーからのピストンの距離は２つの極端な状況（より少ない空間）の間の途中のどこかにある。
【００７０】
ユーザが所望される高さ及び角度で三脚を配置した後、ユーザは開閉ハンドル３１２を下方に引っ張ることによりその位置に三脚をロックし、トリガの切込み３１４４を開口部３１４６に挿入し、その位置に三脚をロックするために中心柱外形上の専用開口部３１４６の前でトリガ３１４をリリースしてよい。本発明のいくつかの実施形態では、中心柱３１０は、開放位置（もっとも下部の開口部）での、閉鎖位置（最も上部の開口部）での、及び中間状態（中間開口部）での三脚のロックを可能にするように構成された切込み３１４４に適した３つの据付け開口部３１４６を含む。
【００７１】
ユーザが写真撮影を終了し、ユーザが三脚を閉じること（つまり、脚部を閉じ、脚部セグメント格納すること）に関心があるとき、ユーザは最初にトリガ３４１を押して、開口部３１４６から切込み３１４４をリリースし、開閉ハンドル３１２を上方に引く必要がある。このアクションが三脚のロック機構をリリースし、三脚の折り畳みを可能にする。セグメントの互いに対する格納は、例えば、第３のセグメントの第２のセグメントの中に、三脚の３本すべての脚部の第１のセグメントの中への挿入を可能にするために地面に向かって伸縮脚部を押すことによって達成され得る。また、セグメントの一方から他方への挿入は、リリース状態の三脚をさかさまにすることによっても達成されてよく、重力が第３のセグメントを第２のセグメントの中に第１のセグメントの中に挿入できるようにしてよい。伸縮脚部が格納された後、ユーザはトリガを押し、この形式で三脚をロックするために中心柱の最上開口部の前で切込み３１４４をリリースすることによって三脚を折り畳まれ、格納された状態でロックできる。この閉鎖格納形式でのピストン３９０に接続されたばね３９２は再装填され、三脚の次の使用（開放）に準備が整う。三脚の開閉のこの単純な機構は、先行技術の三脚に比べてはるかに速く、便利であり、片手だけを使用する三脚の開放を可能にする（三脚の開閉のために他方の手で三脚の頭部を保持する必要を排除する）。これらの図には、三脚基部３０６、三脚の脚部３２２の第１のセグメント、及び把持ハンドル３０８も示される。
【００７２】
ここで図１１及び図１４が参照される。図１１Ａから図１１Ｃは、それぞれ完全開放モード（図１１Ａ）、部分開放モード（図１１Ｂ）、及び完全閉鎖モード（図１１Ｃ）にある三脚３００の、接続アーム３２８と、脚部３２０の第１のセグメント３２２と第２のセグメント３２４との間の接合領域を説明する、図９に示される領域「Ｂ」の概略断面クローズアップ図である。これらの図に示される例では、この接合部のロック機構は完全開放モード及び完全閉鎖モードで２つのロック点を提供する２つの分けられた歯セグメント２４’及び２６’を有する対称はめば歯車２７’に基づいている。２つの歯セグメントは、リリースされた領域を提供し、閉鎖モードと開放モードとの間で、及びその逆で変形するユーザ能力を許すように構成された、該歯セグメント間の中間の凹んだ領域２４６によって分けられる。より詳細には、これらの図に示される特有の例では、アーム３２８は３つのアームを有するフォークとして構造化され、各アームはその側面端部に、三脚３００が完全に閉じられているとき及び三脚３００が完全に開いているときの三脚３００の２つの位置でのロック、つまり第１の歯セグメント２４’から第２の歯セグメント２６’へのはめば歯車２７’の遷移を可能にするように構成され、可能にするように作動する２つの分けられた歯セグメントを含むはめば歯車２７を含む。このプロセスはまず、切込み３１４４を中心柱３１０上の開口部の内の１つでのその位置からリリースするトリガ１１４を押すこと、及び三脚を第１のロック位置からリリースし、三脚を第２のロック位置にロックできるようにするために、図１０に関して示されるように中心柱３１０上の別の開口部の中への切込み３１４４の後の挿入によって可能にされる。一方のロック位置から他方のロック位置への遷移は、開閉ハンドル３１２を（三脚を閉じるために）上に又は（三脚を開くために）下のどちらかに押すことによってさらに達成される。
【００７３】
三脚３００の開放形式（図１１Ａ）では、第２の歯セグメント２６’は第２のセグメント３２４の歯ライン１２５と統合される。統合された歯は脚部３２０の第２のセグメント及び第３のセグメント３２４及び３２６のロックを生じさせる、歯ライン１２５全体の上方への移動を生じさせる。これらの図には、軸受けスリーブ３２３及び３２３’も示される。
【００７４】
図１４Ａから図１４Ｂは、開かれた拡張位置での本発明の三脚に改善された安全性を提供するために、接続アームと、二重固定歯ライン構造及びブレーキパッド構成を有する三脚の脚部の第１のセグメントと第２のセグメントとの間の接合領域の、それぞれ軸ＡＢに沿った概略等角図及び断面図である。図１４Ａは等角図であり、図１４Ｂは図１４Ａに示されるＡＢ軸に沿った断面図である。これらの図に示される特有の実施形態では、脚部の第２のセグメントは、脚部の外形上で長穴に入れられる少なくとも１つの頑丈な歯ライン３３３をさらに含む。偏心ロック領域の歯ラインとの統合時、それは鋸歯状の底部を有するブレーキパッド３３９をさらに押し、第１の脚部セグメント３２２を第２の脚部セグメント３２４にロックするために、それを歯ライン３３３にロックする。中間状態（図１１Ｂ）で、凹状の円弧２４６は歯ライン１２５に、及び頑丈な歯ライン（複数のこともある）３３３に平行であるため、ロック機構２８はリリースされた状態にあり、セグメントの及び開閉ハンドル３１２の移動が可能である。三脚３００の閉鎖形式（図１１Ｃ）では、第１のロック領域２４は第２のセグメント３２４の歯ライン１２５と統合される。統合された歯は、再び三脚の閉鎖状態での脚部３２０の第２のセグメント及び第３のセグメント３２４及び３２６のロックを生じさせる歯ライン全体の下方への移動を生じさせる。この位置で、第２のセグメントが頑丈な歯ライン３３３をさらに含むとき、ブレーキパッド３３９は再び押下され、三脚をロックし、係る状態での脚部の移動を妨げるために、パッドの底部の鋸歯状の側面が頑丈な歯ライン３３３と統合されることになる。
【００７５】
図１２Ａから図１２Ｃは、それぞれ完全開放モード（図１２Ａ）、部分開放モード（図１２Ｂ）、及び完全閉鎖モード（図１２Ｃ）にある三脚３００の脚部３２０の第２のセグメント３２４と第３のセグメント３２６との間の接続領域を説明する、図９に示される領域「Ｃ」の概略クローズアップ断面図である。ロック状態（開かれた三脚）では、ウェッジ３５０が頑丈な一方向の歯ライン３３３と統合される。板ばね３５１は、ウェッジ３５０を上方に押すことを目的とした絶えず緊張した状態にあり、支持構造３５５はギヤ歯ライン１２５を基本の中立位置に戻るために支えるように構成される。係る構成では、板ばね３５１と指示構造３５５との間に空間３５４がある。三角形の形状３５２を有する別の空間も、ウェッジ３５０の上方に図示される。中間状態（図１２Ｂ）では、ギヤ歯ライン１２５は移動し、緊張した板ばね３５１はウェッジの移動３５０の結果としてさらに装填されるようになり、ウェッジ３５０を空間３５２の中に押し、このようにしてウェッジ３５０は上昇し、第３のセグメント３２６の歯ライン３３３から引っ込むようになり、空間３５４は閉じられ、セグメントの移動が可能になる。三脚を閉じ、ロックすると、接続アーム３２８のはめば歯車２７は第２のセグメントのギヤ歯ライン１２５と統合するようになり、ウェッジ３５０の下部側は第３のセグメントの歯ライン３３３と統合するようになり、板ばね３５１がリリースされ、ウェッジ３５０に触れず（押さず）、したがってウェッジ上方の空間３５２が示され、セグメントの移動が不可能になる。
【００７６】
図１３Ａから図１３Ｃは、それぞれ完全開放モード（図１３Ａ）、部分開放モード（図１３Ｂ）、及び完全閉鎖モード（図１３Ｃ）での中心柱３１０と接続アーム３２８との間の接合領域を説明する、図９に示される領域「Ｄ」の概略断面クローズアップ図である。これらの図に示されるように、接続アーム及び脚部をロックするために使用される類似したロック機構２８は、接続アーム３２８を中心柱３１０にロックし、アンロックするために使用される。三脚が完全開放状態（図１３Ａ）にあるとき、上部ロック点２６は中心柱３１０と開閉ハンドル３１２の両方を押す。圧力は、機能上、ロックを生じさせ、この領域でのパーツの移動を妨げる。類似する状況は、下部ロック点２４が中心柱で押され、その点で圧力が中心柱にかけられた結果として中心柱をロックするとき、三脚の閉じられ、格納された状態（図１３Ｃ）で発生する。図１３Ｂに示される中間状態（三脚はアンロックされている）では、中心柱は２つのロック点の間の凹んだ領域２４６に向く。接続アーム３２８の中心柱に対するその位置で、中心柱及び開閉ハンドル３１２に圧力はかけられず、移動は可能になる。これらの図には、ヒンジ２０、フック３１８、脚部３２０、及び三脚の総重量を削減するための接続アーム３２８の空洞３２８１も示される。
【００７７】
本明細書に説明される実施形態及び添付図の説明が、本発明の範囲を制限せず、本発明のよりよい理解のためだけに役立つことが明らかであるべきである。当業者が、本明細書を読んだ後に、依然として本発明によってカバーされるだろう、調整又は補正を添付図面及び上述された実施形態に加えることができることも明らかであるべきである。
【図１Ａ】
2017500598.tif 000003
【図１Ｂ】
2017500598.tif 000004
【図２】
2017500598.tif 000005
【図３Ａ】
2017500598.tif 000006
【図３Ｂ】
2017500598.tif 000007
【図３Ｃ】
2017500598.tif 000008
【図３Ｄ】
2017500598.tif 000009
【図３Ｅ】
2017500598.tif 000010
【図４】
2017500598.tif 000011
【図５Ａ】
2017500598.tif 000012
【図５Ｂ】
2017500598.tif 000013
【図５Ｃ】
2017500598.tif 000014
【図５Ｄ】
2017500598.tif 000015
【図５Ｅ】
2017500598.tif 000016
【図６Ａ】
2017500598.tif 000017
【図６Ｂ】
2017500598.tif 000018
【図６Ｃ】
2017500598.tif 000019
【図７】
2017500598.tif 000020
【図８Ａ】
2017500598.tif 000021
【図８Ｂ】
2017500598.tif 000022
【図８Ｃ】
2017500598.tif 000023
【図９Ａ】
2017500598.tif 000024
【図９Ｂ】
2017500598.tif 000025
【図９Ｃ】
2017500598.tif 000026
【図１０Ａ】
2017500598.tif 000027
【図１０Ｂ】
2017500598.tif 000028
【図１０Ｃ】
2017500598.tif 000029
【図１１Ａ】
2017500598.tif 000030
【図１１Ｂ】
2017500598.tif 000031
【図１１Ｃ】
2017500598.tif 000032
【図１２Ａ】
2017500598.tif 000033
【図１２Ｂ】
2017500598.tif 000034
【図１２Ｃ】
2017500598.tif 000035
【図１３Ａ】
2017500598.tif 000036
【図１３Ｂ】
2017500598.tif 000037
【図１３Ｃ】
2017500598.tif 000038
【図１４Ａ】
2017500598.tif 000039
【図１４Ｂ】
2017500598.tif 000040
【国際調査報告】
2017500598.tif 000041
2017500598.tif 000042